(57)【要約】【課題】  複数の外部機器から外部入力端子に供給される信号の種類を簡単な操作で認識できるようにする。【解決手段】  開示される映像表示装置は、複数の外部機器が接続可能な複数の外部入力端子を有するものである。この映像表示装置は、複数の外部入力端子に対応した端子情報、プラグ接続の有無及び信号の入力の有無を検出する検出手段（接続検出器３ｃ、信号検出回路４１，４２、抵抗Ｒ１１，Ｒ１２，Ｒ２１，Ｒ２２）と、検出手段の検出結果を映像出力手段に表示する表示制御手段（映像信号処理部７、映像出力部８、制御部９、キャラクタ発生部１０）とを具備している。【選択図】  図１
2008067284.tif 000002
【特許請求の範囲】
【請求項１】
複数の外部機器が接続可能な複数の外部入力端子を有する映像表示装置であって、
前記複数の外部入力端子に対応した端子情報、プラグ接続の有無及び信号の入力の有無を検出する検出手段と、
前記検出手段の検出結果を映像出力手段に表示する表示制御手段と
を具備することを特徴とする映像表示装置。
【請求項２】
前記複数の外部入力端子は、異なる種類の外部入力端子により１つの系統を構成するようにグルーピングされており、
前記表示制御手段は、前記系統ごとに、当該系統に属する前記複数の外部入力端子に対応した前記端子情報、前記プラグ接続の有無及び前記信号の入力の有無について表示を行う
ことを特徴とする請求項１に記載の映像表示装置。
【請求項３】
前記表示制御手段は、前記複数の外部入力端子ごとに、前記プラグ接続の有無及び前記信号の入力の有無に応じて異なる表示を行う
ことを特徴とする請求項１又は２に記載の映像表示装置。
【請求項４】
前記端子情報は、対応する外部入力端子又は対応する外部入力端子に接続される外部機器を識別するための名称、通称、記号、コードその他の文字列、図形あるいはこれらの組み合わせのいずれかであることを特徴とする請求項１乃至３のいずれかに記載の映像表示装置。
【請求項５】
前記表示制御手段は、操作手段を構成する入力切換ボタンの操作に応じて前記検出手段の検出結果に基づく入力選択メニュー画面を前記映像出力手段に表示する
ことを特徴とする請求項１乃至４のいずれかに記載の映像表示装置。
【請求項６】
前記表示制御手段は、前記入力選択メニュー画面に表示された前記複数の外部入力端子の中から、前記操作手段の操作により選択された外部入力端子に供給されている信号を入力する
ことを特徴とする請求項５に記載の映像表示装置。
【発明の詳細な説明】
【技術分野】
【０００１】
本発明は、複数の外部機器が接続可能な複数の外部入力端子を有するテレビジョン受信機等の映像表示装置に関する。
【背景技術】
【０００２】
従来の映像表示装置の中には、各種の録画再生機器あるいはこれら複数の録画再生機器の機能を有した複合機器又はチューナ等の多くの外部機器が接続できるように複数の外部入力端子を有しているものがある。上記録画再生機器としては、例えば、ＤＶＤプレーヤ、ハードディスクレコーダ（ＨＤＤ）、ビデオテープレコーダ（ＶＴＲ）、ビデオカメラ等がある。
【０００３】
従来の映像表示装置が有している複数の外部入力端子は、上記外部機器及び上記映像表示装置に入出力される各種の映像信号の種類に応じて、ピンジャック、Ｓ(Separate)端子、Ｄ端子、ＨＤＭＩ（High Definition Multimedia Interface）（登録商標）端子などからなる。ピンジャックは、コンポジット映像信号及びコンポーネント映像信号を外部機器と映像表示装置との間で伝送する場合に用いられている。
【０００４】
ここで、コンポジット映像信号とは、輝度信号（Ｙ）と色信号（Ｃ）とが合成された映像信号をいう。このコンポジット映像信号は、上記外部機器及び映像表示装置のそれぞれに設けられた１つの上記ピンジャックが１本のケーブルで接続されて外部機器と映像表示装置との間で伝送される。このコンポジット映像信号は、通常、Ｌチャンネル及びＲチャンネルのそれぞれのアナログ音声信号とともに伝送される。Ｌチャンネル及びＲチャンネルのそれぞれのアナログ音声信号は、コンポジット映像信号と同様に、上記外部機器及び映像表示装置のそれぞれに設けられた２つの上記ピンジャックがそれぞれ対応する２本のケーブルで接続されて外部機器と映像表示装置との間で伝送される。以下、映像表示装置に設けられた３つの上記ピンジャックを合わせて「コンポジット映像・音声端子」と呼ぶ。
【０００５】
一方、コンポーネント映像信号とは、輝度信号（Ｙ）と青色差信号（Ｃｂ又はＰｂ）と赤色差信号（Ｃｒ又はＰｒ）とに分離された映像信号をいう。このコンポーネント映像信号、即ち、輝度信号（Ｙ）、青色差信号（Ｃｂ又はＰｂ）及び赤色差信号（Ｃｒ又はＰｒ）は、上記外部機器及び映像表示装置のそれぞれに設けられた３つの上記ピンジャックが３本のケーブルで接続されて外部機器と映像表示装置との間で伝送される。以下、映像表示装置に設けられた３つの上記ピンジャックを合わせて「コンポーネント映像端子」と呼ぶ。
【０００６】
Ｓ端子は、Ｓ映像信号を外部機器と映像表示装置との間で伝送する場合に用いられている。ここで、Ｓ映像信号とは、コンポジット映像信号が輝度信号（Ｙ）と色信号（Ｃ）とに分離(Separate)されたものをいう。Ｄ端子は、輝度信号（Ｙ）、青色差信号（Ｃｂ又はＰｂ）及び赤色差信号（Ｃｒ又はＰｒ）からなるコンポーネント映像信号だけではなく、走査線数走査方式表示比率を切り換えるための識別信号を１本のケーブルで伝送できるようにまとめたものである。また、Ｄ端子は、プラグ挿入の検知機能も付与されている。
【０００７】
また、ＨＤＭＩ（登録商標）端子は、家庭電化製品やオーディオビジュアル機器を主たる用途としたデジタル映像信号及びデジタル音声信号の入出力インターフェース規格であるＨＤＭＩ（登録商標）規格に準拠した端子である。このＨＤＭＩ（登録商標）端子では、外部機器と映像表示装置との間において、１本のケーブルを介してデジタル映像信号、デジタル音声信号及び制御信号を合わせて送受信することができる。
【０００８】
以上説明したように、上記外部機器及び上記映像表示装置との間では、複数種類の映像信号が複数種類のケーブルを介して伝送される。従って、これらの機器のユーザが上記外部機器及び上記映像表示装置とのケーブルを介した接続が苦手な場合、電気店の店員や知人等に接続してもらうことになる。また、ユーザが上記接続について得意な場合であっても、接続状態を忘れてしまう場合がある。ところが、従来の映像表示装置では、複数の外部入力端子にそれぞれ外部機器が接続されていることは表示されるが、どのような種類の映像信号を供給する外部機器が接続されているかについては表示されていない。
【０００９】
また、最近の映像表示装置には、異なる種類の外部入力端子が１つの系統を構成するようにグルーピングされているものがある。例えば、「入力１」の系統は、Ｄ端子と、コンポジット映像・音声端子とにより構成され、「入力２」の系統は、Ｄ端子と、コンポーネント映像端子とにより構成され、「入力３」の系統は、Ｓ端子と、コンポジット映像・音声端子とにより構成され、「入力４」の系統は、ＨＤＭＩ（登録商標）端子と、コンポーネント映像端子とにより構成されている。
【００１０】
このように、１つの系統に異なる種類の外部入力端子がグルーピングされている映像表示装置には、例えば、映像信号の精細度が高い順に予め優先順位が設定され、複数の外部入力端子にそれぞれ対応する複数のプラグが接続されていても、優先順位が高い映像信号が自動的に選択されるように構成されているものがある。この映像表示装置では、優先順位の低い映像信号を選択するには、映像表示装置の本体操作部又はリモコン（遠隔操作手段）を操作して、ディスプレイにＯＳＤ（On Screen Display）表示形式で多段階層構造のメニュー画面を表示させ、複数回の操作を行う必要があった。以上説明したように、従来の映像表示装置では、ユーザは、所望の外部機器を簡単な操作で迅速に選択することができず、使い勝手が悪いという不都合があった。
【００１１】
そこで、上記不都合を解決するために、以下に示す映像表示装置（デジタル放送受信装置）が提案されている。即ち、この映像表示装置は、デジタル映像・音声信号及びアナログ映像・音声信号がそれぞれ入力される複数の外部入力端子と、これらの外部入力端子の中から１つを選択するための入力切換キーと、この入力切換キーの操作に基づいて複数の外部入力端子を切り換える切換手段と、複数の外部入力端子に任意の切換番号をそれぞれ割り当てて登録する登録手段と、上記入力切換キーの操作後、数字キーが押下されることにより、登録された外部入力端子を優先的に選択するように切換手段を制御する制御手段とを備えている（例えば、特許文献１参照。）。
【００１２】
【特許文献１】特開２００３−１８４９５号公報（請求項１，請求項６，［００６６］〜［００７６］、図４）
【発明の開示】
【発明が解決しようとする課題】
【００１３】
上記した特許文献１に記載された映像表示装置では、ユーザが外部機器を外部入力端子に接続した後、表示部に「外部入力端子の設定登録画面」を表示させた状態において、「外部入力端子の登録画面」上で各切換番号と外部入力端子の項目とを設定する必要がある。従って、ユーザが上記外部機器及び上記映像表示装置とのケーブルを介した接続が苦手な場合、電気店の店員や知人等に上記接続だけでなく、上記登録もしてもらうことになる。さらに、上記ユーザは、新たに外部機器を買い足したり、買い換えたりした際も、電気店の店員や知人等に接続及び上記登録をしてもらわなければならない。使い勝手がいいとはいえない。
【００１４】
本発明は、上述した事情に鑑みてなされたものであり、上述のような課題を解決することができる映像表示装置を提供することを目的とする。
【課題を解決するための手段】
【００１５】
上記課題を解決するために、請求項１記載の発明に係る映像表示装置は、複数の外部機器が接続可能な複数の外部入力端子を有する映像表示装置に係り、前記複数の外部入力端子に対応した端子情報、プラグ接続の有無及び信号の入力の有無を検出する検出手段と、前記検出手段の検出結果を映像出力手段に表示する表示制御手段とを具備すること特徴としている。
【００１６】
また、請求項２記載の発明は、請求項１記載の映像表示装置に係り、前記複数の外部入力端子は、異なる種類の外部入力端子により１つの系統を構成するようにグルーピングされており、前記表示制御手段は、前記系統ごとに、当該系統に属する前記複数の外部入力端子に対応した前記端子情報、前記プラグ接続の有無及び前記信号の入力の有無について表示を行うことを特徴としている。
【００１７】
また、請求項３記載の発明は、請求項１又は２に記載の映像表示装置に係り、前記表示制御手段は、前記複数の外部入力端子ごとに、前記プラグ接続の有無及び前記信号の入力の有無に応じて異なる表示を行うことを特徴としている。
また、請求項４記載の発明は、請求項１乃至３のいずれかに記載の映像表示装置に係り、前記端子情報は、対応する外部入力端子又は対応する外部入力端子に接続される外部機器を識別するための名称、通称、記号、コードその他の文字列、図形あるいはこれらの組み合わせのいずれかであることを特徴としている。
【００１８】
また、請求項５記載の発明は、請求項１乃至４のいずれかに記載の映像表示装置に係り、前記表示制御手段は、操作手段を構成する入力切換ボタンの操作に応じて前記検出手段の検出結果に基づく入力選択メニュー画面を前記映像出力手段に表示することを特徴としている。
また、請求項６記載の発明は、請求項５に記載の映像表示装置に係り、前記表示制御手段は、前記入力選択メニュー画面に表示された前記複数の外部入力端子の中から、前記操作手段の操作により選択された外部入力端子に供給されている信号を入力することを特徴としている。
【発明の効果】
【００１９】
本発明によれば、ユーザは、入力選択メニュー画面から直接映像信号の種類、接続の有無及び信号入力の有無を認識することができるので、入力選択メニュー画面から直接映像信号の種類を選択することができる。この結果、ユーザは、所望の外部機器を簡単な操作で迅速に選択することができ、使い勝手が良い。
【００２０】
また、１つの系統に複数の外部機器を接続した場合であっても、ユーザは容易に入力を切り換えることができる。これにより、空いた他の系統の外部入力端子に他の種類の外部機器を接続することができ、入力系統の数よりも外部機器の数が多い場合であっても、外部入力端子を有効に利用することができる。
【発明を実施するための最良の形態】
【００２１】
実施の形態１．
図１は、本発明の実施の形態１に係る映像表示装置の構成を示すブロック図である。本実施の形態１に係る映像表示装置は、アンテナ１に接続され、チューナ２と、ＡＶスイッチ３と、ＡＶ出力部４と、音声信号処理部５と、音声出力部６と、映像信号処理部７と、映像出力部８と、制御部９と、キャラクタ発生部１０と、記憶部１１とを有している。チューナ２は、アンテナ１で受信された各種の放送信号の中から、ユーザが本体操作部(図示略)又はリモコン（遠隔操作手段）１２を操作することにより選局した放送信号について復調や誤り訂正等を行って、映像・音声信号を出力する。ここで、各種の放送信号としては、例えば、地上波アナログ放送、地上波デジタル放送、ＢＳアナログ放送、ＢＳデジタル放送、ＣＳアナログ放送、ＣＳデジタル放送のそれぞれの放送信号がある。
【００２２】
ＡＶスイッチ３は、上記チューナ２から供給された映像・音声信号ＡＶ１、外部機器２１から供給された映像・音声信号ＡＶ２又は接続機器２２から供給された映像・音声信号ＡＶ３の中からいずれか１つを、制御部９から供給された制御信号に基づいて選択して映像・音声信号ＡＶＥとして出力する。外部機器２１及び２２としては、例えば、ＤＶＤプレーヤ、ハードディスクレコーダ（ＨＤＤ）、ビデオテープレコーダ（ＶＴＲ）、ビデオカメラの等録画再生機器あるいはこれら複数の録画再生機器の機能を有した複合機器又はチューナ等がある。
【００２３】
ＡＶスイッチ３は、「入力１」として外部機器２１が接続される外部入力端子群３ａを備えている。外部入力端子群３ａは、図２に示すように、Ｄ４端子３１と、コンポーネント映像端子３２と、コンポジット映像・音声端子３３とにより構成されている。ここで、Ｄ４端子３１は、Ｄ１（５２５ｉ）、Ｄ２（５２５ｐ）、Ｄ３（１１２５ｉ）、Ｄ４（４５０ｐ）のすべてのコンポーネント映像信号の入力に対応した端子である。括弧内のｉは飛び越し走査（interlace）方式を意味し、ｐは順次走査（progressive）方式を意味している。また、括弧内の数値は、実走査線数を意味している。
【００２４】
また、ＡＶスイッチ３は、「入力２」として外部機器２２が接続される外部入力端子群３ｂを備えている。外部入力端子群３ｂは、図３に示すように、Ｓ端子３４と、ＨＤＭＩ（登録商標）端子３５と、コンポジット映像・音声端子３６とにより構成されている。
【００２５】
また、図１に示すＡＶスイッチ３は、外部機器２１及び２２が外部入力端子群３ａ及び３ｂに接続されているか否かを検出する接続検出器３ｃを有している。接続検出器３ｃは、図４に示すように、外部入力端子群３ａに対応して、信号検出回路４１と、抵抗Ｒ１１及びＲ１２とを有するとともに、外部入力端子３ｂに対応して、信号検出回路４２と、抵抗Ｒ２１及びＲ２２とを有している。
【００２６】
信号検出回路４１及び４２は、それぞれ対応する外部入力端子群３ａ及び３ｂにプラグ接続の有無及び信号の有無を検出し、検出結果を制御部９に供給する。信号検出回路４１及び４２は、入力された映像信号に含まれる同期信号又はノイズの有無を検出することにより、信号の有無を検出する。同期信号は、水平同期信号又は垂直同期信号のいずれでも良い。信号検出回路４１及び４２は、それぞれ対応する外部入力端子群３ａ及び３ｂにプラグが接続され、かつ、信号が検出された場合（以下、「第１の状態」という。）には、”Ｈ”レベルの検出信号を制御部９に供給する。
【００２７】
また、信号検出回路４１及び４２は、それぞれ対応する外部入力端子群３ａ及び３ｂにプラグが接続されているが、信号が検出されなかった場合（以下、「第２の状態」という。）には、”Ｈ”レベルと”Ｌ”レベルの中間のレベルの検出信号を制御部９に供給したり、出力端をハイインピーダンス状態としたりする。以下、上記中間のレベルとハイインピーダンス状態をまとめて、「”Ｍ”レベル」と称する。さらに、信号検出回路４１及び４２は、それぞれ対応する外部入力端子群３ａ及び３ｂにプラグが接続されていない場合（以下、「第３の状態」という。）には、”Ｌ”レベルの検出信号を制御部９に供給する。
【００２８】
ところで、図４では、説明を簡単にするために、外部入力端子群３ａ及び３ｂは、それぞれひとまとまりに記載している。しかし、上記したように、外部入力端子群３ａは、Ｄ４端子３１と、コンポーネント映像端子３２と、コンポジット映像・音声端子３３とにより構成されている。同様に、外部入力端子群３ｂは、Ｓ端子３４と、ＨＤＭＩ（登録商標）端子３５と、コンポジット映像・音声端子３６とにより構成されている。
【００２９】
従って、信号検出回路４１は、１４ピンで構成されているＤ４端子３１の第１ピンから出力される輝度信号（Ｙ）、３つのピンジャックで構成されているコンポーネント映像端子の１つのピンジャックから出力される輝度信号（Ｙ）及び、３つのピンジャックで構成されているコンポジット映像・音声端子の１つのピンジャックから出力されるコンポジット映像信号の有無をそれぞれ検出する。一方、信号検出回路４２は、４ピンで構成されているＳ端子３４の第３ピンから出力される輝度信号（Ｙ）、１９ピンで構成されているＨＤＭＩ（登録商標）端子３５の第１〜第９ピンから出力されるデジタルデータ及び、３つのピンジャックで構成されているコンポジット映像・音声端子の１つのピンジャックから出力されるコンポジット映像信号の有無をそれぞれ検出する。
【００３０】
以上のことから、接続検出器３ｃは、検出結果に応じて、制御部９に対して、例えば、図５に示す信号検出結果テーブルに表された信号を供給する。図５では、検出信号は、４ビットで表されている。検出信号の第１位（最下位）ビットは、上記第１〜第３の状態を表している。検出信号の第２位〜第４位（最上位）ビットは、端子の種類（要するに、映像信号の種類）及び外部入力端子群を表している。即ち、”ＬＬＬ”は外部入力端子群３ａ（「入力１」）のＤ４端子３１、”ＬＬＨ”は外部入力端子群３ａ（「入力１」）のコンポーネント映像端子３２、”ＬＨＬ”は外部入力端子群３ａ（「入力１」）のコンポジット映像・音声端子３３をそれぞれ表している。一方、”ＬＨＨ”は外部入力端子群３ｂ（「入力２」）のＳ端子３４、”ＨＬＬ”は外部入力端子群３ｂ（「入力２」）のＨＤＭＩ（登録商標）端子３５、”ＨＬＨ”は外部入力端子群３ｂ（「入力２」）のコンポジット映像・音声端子３６をそれぞれ表している。図５に示す信号検出結果テーブルは、ＡＶスイッチ３の内部に設けられた記憶部に予め記憶されている。
【００３１】
なお、以上の説明では、上記第１〜第３の状態をそれぞれ表す検出信号の第１位ビットの論理（”Ｈ”レベル、”Ｍ”レベル、”Ｌ”レベル）は、図５に示すものである例を示したが、これに限定されず、制御部９が上記第１〜第３の状態を認識できればどのようなものでも良い。例えば、上記第１の状態の場合、検出信号の第１位ビットの論理が”Ｌ”レベル、上記第２の状態の場合、検出信号の第１位ビットの論理が”Ｍ”レベル、上記第３の状態の場合、検出信号の第１位ビットの論理が”Ｈ”レベルであっても良い。
【００３２】
図１に示すＡＶ出力部４は、ＡＶスイッチ３から供給された映像・音声信号ＡＶＥから映像信号Ｖと音声信号Ａとを分離して出力する。音声信号処理部５は、ＡＶ出力部４から供給された音声信号Ａがデジタル音声信号の場合には、アナログ音声信号に変換する。また、音声信号処理部５は、ＡＶ出力部４から供給されたアナログの音声信号Ａ又は上記変換されたアナログ音声信号の増幅等を行う。音声出力部６は、スピーカを有し、音声信号処理部５から供給されたアナログ音声信号に基づいて音声を拡声出力する。
【００３３】
映像信号処理部７は、ＡＶ出力部４から供給された映像信号Ｖに対して、ＩＰ（Interlace to Progressive）変換、スケーリング、デジタルＲＧＢ変換等の映像処理を施す。ＩＰ変換は、飛び越し走査（インターレース）方式の映像信号を順次走査（プログレッシブ）方式の映像信号に変換する処理である。スケーリングは、映像信号Ｖにより表現される映像の解像度が映像出力部８を構成するディスプレイに表示される映像の解像度と異なる場合に当該映像信号に対して映像の表示位置や大きさ等を調整する処理である。デジタルＲＧＢ変換は、アナログ映像信号をデジタル赤信号、デジタル緑信号、デジタル青信号からなるデジタルＲＧＢ・映像信号に変換する処理である。また、映像信号処理部７は、上記映像処理を施した映像信号に、キャラクタ発生部１０から供給されたＯＳＤ表示形式で画面やラベル等を表示するためのＯＳＤ表示キャラクタ信号を重畳して出力する。映像出力部８は、ＣＲＴディスプレイ、液晶ディスプレイ、あるいはプラズマディスプレイ等のディスプレイを有し、映像信号処理部７から供給された映像信号に基づいて画像をディスプレイに表示する。
【００３４】
制御部９は、ＣＰＵ、ＤＳＰ、シーケンサ等を有し、記憶部１１に記憶されている外部端子サーチ・表示プログラム等に基づいて、外部端子サーチ・表示処理等を実行することにより、装置各部に制御信号を供給するなどして制御する。即ち、例えば、記憶部１１から外部端子サーチ・表示プログラムが読み出されると、制御部９に読み込まれ、制御部９の動作を制御する。制御部９は、外部端子サーチ・表示プログラムが起動されると、外部端子サーチ・表示プログラムの制御により、後述する外部端子サーチ・表示処理を実行して装置各部を制御するのである。外部端子サーチ・表示処理は、ＡＶスイッチ３を制御することにより外部入力端子群３ａ及び３ｂに外部機器２１又は２２が接続されている否かサーチして、そのサーチ結果からなる入力選択メニュー画面等を映像出力部８を構成するディスプレイに表示させる処理である。
【００３５】
また、制御部９は、リモコン１２から供給された赤外線パルスの制御信号を受信し、電気信号の制御信号に変換するリモコン受信部（図示略）を有している。リモコン１２には、一般的なテレビジョン受信機に用いられるリモコンと同様、電源ボタン、入力切換ボタン、チャンネルボタン、音量増加ボタン、音量減少ボタンなどの各種のボタンが設けられている。入力切換ボタンは、押下されると、映像出力部８を構成するディスプレイにＯＳＤ表示形式での入力選択メニュー画面の表示が指示されるボタンである。入力選択メニュー画面の具体的な表示構成については、後述する。
【００３６】
チャンネルボタンは、テレビ番組のチャネルを選択するために機能するだけでなく、数字や文字を入力するためにも機能する。例えば、チャンネル１の選択が可能なボタン「１」は、数字の「１」及び「あ」行の１文字の入力も可能に構成され、チャンネル２の選択が可能なボタン「２」は、数字の「２」及び「か」行の１文字、アルファベットの「Ａ」、「Ｂ」、「Ｃ」の入力も可能に構成されている。即ち、一般的な携帯端末機の数字キーと同様な機能を有している。このようなチャンネルボタンを「チャンネル／数字・文字入力ボタン」と称することができる。
【００３７】
また、上記リモコン１２には、上記した各種ボタンの他、上カーソルボタン、下カーソルボタン、左カーソルボタン、右カーソルボタン及び決定（「ＥＮＴＥＲ」）ボタンが設けられている。以下、上カーソルボタン、下カーソルボタン、左カーソルボタン及び右カーソルボタンを総称して、「カーソルボタン」と呼ぶことにする。
【００３８】
上カーソルボタン、下カーソルボタン、左カーソルボタン及び右カーソルボタンは、上記ディスプレイに上記入力選択メニュー画面等が表示されている状態で押下されることにより、それぞれ上方向、下方向、左方向及び右方向に１つずつカーソルを移動させることによりフォーカスを移動させて項目の選択が指示されるボタンである。
【００３９】
ここで、フォーカスについて説明する。表示画面に複数のボタンやテキストボックス等が表示されている場合、これらのうち、リモコン１２又は図示せぬ本体操作部からの入力を受け付けることができるのは１つだけであるが、その入力を受け付ける状態になっていることをフォーカスを持つという。あるボタンがフォーカスを持っているか否かは、テキストボックスの場合には内部でカーソルが点滅する、ドロップダウンリストボックスの場合にはメニューが選択反転する、コマンドボタンの場合には破線で囲まれる、などによりユーザが判断することができる。
【００４０】
決定（「ＥＮＴＥＲ」）ボタンは、ディスプレイに表示されている入力選択メニュー画面を構成する外部入力端子の名称がフォーカスを持っている状態で押下されることにより、当該名称に対応する外部入力端子の選択が指示されるボタンである。
【００４１】
キャラクタ発生部１０は、制御部９から供給される情報に基づいて、ＯＳＤ表示形式で入力選択メニュー画面等の各種画面やラベル等を表示するためのＯＳＤ表示キャラクタ信号を発生する。記憶部１１は、ＲＡＭやＲＯＭ、あるいはフラッシュメモリ等の半導体メモリからなる。記憶部１１は、プログラム記憶部と、ワーキング記憶部と、データ記憶部とから構成されている。プログラム記憶部は、上記した制御部９が実行すべき外部端子サーチ・表示プログラムその他の各種プログラムが予め記憶されている。ワーキング記憶部は、制御部９が上記した外部端子サーチ・表示プログラムその他の各種プログラムを実行する際に作業用として用いられる。データ記憶部は、映像信号処理部７その他の構成要素に設定すべき初期値や最終値が予め記憶されていたり、図５に示す信号検出結果テーブル等の各種のデータが記憶されたりする。
【００４２】
次に、上記構成の映像表示装置を構成する制御部９の外部端子サーチ・表示処理について、図６に示すフローチャートを参照して説明する。前提として、同一の系統に異なる種類の外部入力端子がグルーピングされている場合、制御部９が選択する優先順位は、第１位にＨＤＭＩ（登録商標）端子、第２位にＤ４端子、第３位にコンポーネント映像端子、第４位にＳ端子、第５位にコンポジット映像・音声端子がそれぞれ予め設定されているものとする。この優先順位は、伝送される映像信号の精細度が高い順である。なお、ある系統に上位の優先順位に設定されている外部入力端子が存在しない場合には、存在する種類の外部入力端子の中で上位に設定されているものが順次選択されるものとする。
【００４３】
また、外部機器２１としては、ＨＤＤの機能とＤＶＤの機能とを備えた複合機器（以下、「ＨＤＤ−ＤＶＤレコーダ」と称する。）が設けられ、外部機器２２としては、ＶＴＲが設けられているものとする。そして、外部機器２１は、映像表示装置には、「入力１」を構成する外部入力端子群３ａのコンポーネント映像端子３２及びコンポジット映像・音声端子３３に接続されているものとする。この場合、コンポジット映像・音声端子３３には外部機器２１から信号が供給されているが、コンポーネント映像端子３２には外部機器２１から信号が供給されていないものとする。一方、外部機器２２は、映像表示装置には、「入力２」を構成する外部入力端子群３ｂのＳ端子３４に接続されているものとする。この場合、Ｓ端子３４には外部機器２２から信号が供給されているものとする。
【００４４】
上記構成の映像表示装置に電源が投入されている状態において、ユーザがリモコン１２の入力切換ボタンを操作すると、制御部９は、図６に示すステップＳＰ１の処理へ進み、「入力１」を構成する外部入力端子群３ａのある外部入力端子の接続を検出したか否かを判断する。ステップＳＰ１の判断結果が「ＮＯ」の場合には、制御部９は、ステップＳＰ３へ進む。一方、ステップＳＰ１の判断結果が「ＹＥＳ」の場合、即ち、「入力１」を構成する外部入力端子群３ａのある外部入力端子の接続を検出した場合には、制御部９は、ステップＳＰ２へ進む。
【００４５】
ステップＳＰ２では、制御部９は、ステップＳＰ１の処理で接続を検出した外部入力端子について信号を検出したか否かを判断する。ステップＳＰ２の判断結果が「ＹＥＳ」の場合には、制御部９は、ステップＳＰ４へ進む。一方、ステップＳＰ２の判断結果が「ＮＯ」の場合、即ち、ステップＳＰ１の処理で接続を検出した外部入力端子について信号を検出しなかった場合には、制御部９は、ステップＳＰ５へ進む。
【００４６】
以上説明したステップＳＰ１及びＳＰ２の判断は、実際には、ＡＶスイッチ３を構成する接続検出器３ｃから供給される４ビットの検出信号の値に基づいて一度に行う。以下、接続検出器３ｃの動作について説明する。接続検出器３ｃの信号検出回路４１は、まず、「入力１」を構成する外部入力端子群３ａのＤ４端子３１の第１ピンから出力される輝度信号（Ｙ）の有無を検出する。今の場合、プラグが接続されていない第３の状態であるので、図５に示す信号検出結果テーブルに表された”ＬＬＬＬ”の検出信号を制御部９に供給する。
【００４７】
接続検出器３ｃの信号検出回路４１から”ＬＬＬＬ”の検出信号が供給された制御部９は、「入力１」を構成する外部入力端子群３ａのＤ４端子３１にプラグが接続されていないと認識し（図６のステップＳＰ１で「ＮＯ」の判断）、ステップＳＰ３において、外部入力端子の種類を表示しないという決定をし、その決定結果を記憶部１１のデータ記憶部に一次記憶する。その後、制御部９は、ステップＳＰ６へ進む。
【００４８】
ステップＳＰ６では、制御部９は、「入力１」を構成する外部入力端子群３ａのすべての外部入力端子について、プラグ接続の有無及び信号の有無をチェックしたか否かを判断する。ステップＳＰ６の判断結果が「ＮＯ」の場合には、制御部９は、ステップＳＰ１へ戻る。一方、ステップＳＰ６の判断結果が「ＹＥＳ」の場合、即ち、「入力１」を構成する外部入力端子群３ａのすべての外部入力端子について、プラグ接続の有無及び信号の有無をチェックした場合には、制御部９は、ステップＳＰ７へ進む。
【００４９】
今の場合、Ｄ４端子３１のプラグ接続の有無及び信号の有無をチェックしただけであるので、ステップＳＰ６の判断結果は「ＮＯ」であり、制御部９は、ステップＳＰ１へ戻る。接続検出器３ｃの信号検出回路４１は、次に、「入力１」を構成する外部入力端子群３ａの３つのピンジャックで構成されているコンポーネント映像端子の１つのピンジャックから出力される輝度信号（Ｙ）の有無を検出する。今の場合、プラグが接続されているが、信号が検出されない第２の状態であるので、図５に示す信号検出結果テーブルに表された”ＬＬＨＭ”の検出信号を制御部９に供給する。
【００５０】
接続検出器３ｃの信号検出回路４１から”ＬＬＨＭ”の検出信号が供給された制御部９は、「入力１」を構成する外部入力端子群３ａのコンポーネント映像端子３２にプラグが接続されているが、信号が検出されないと認識し（図６のステップＳＰ１で「ＹＥＳ」の判断をし、かつ、ステップＳＰ２で「ＮＯ」の判断）、ステップＳＰ５において、外部入力端子の種類（今の場合、「コンポーネント」）だけを表示するという決定をし、その決定結果を記憶部１１のデータ記憶部に一次記憶する。その後、制御部９は、ステップＳＰ６へ進む。
【００５１】
ステップＳＰ６では、制御部９は、「入力１」を構成する外部入力端子群３ａのすべての外部入力端子について、プラグ接続の有無及び信号の有無をチェックしたか否かを判断する。今の場合、Ｄ４端子３１及びコンポーネント映像端子３２のプラグ接続の有無及び信号の有無をチェックしただけであるので、ステップＳＰ６の判断結果は「ＮＯ」であり、制御部９は、ステップＳＰ１へ戻る。
【００５２】
接続検出器３ｃの信号検出回路４１は、次に、「入力１」を構成する外部入力端子群３ａの３つのピンジャックで構成されているコンポジット映像・音声端子３３の１つのピンジャックから出力されるコンポジット映像信号の有無を検出する。今の場合、プラグが接続され、かつ、信号が検出された第１の状態であるので、図５に示す信号検出結果テーブルに表された”ＬＨＬＨ”の検出信号を制御部９に供給する。
【００５３】
接続検出器３ｃの信号検出回路４１から”ＬＨＬＨ”の検出信号が供給された制御部９は、「入力１」を構成する外部入力端子群３ａのコンポジット映像・音声端子３３にプラグが接続され、かつ、信号が検出されたと認識し（図６のステップＳＰ１で「ＹＥＳ」の判断をし、かつ、ステップＳＰ２で「ＹＥＳ」の判断）、ステップＳＰ４において、外部入力端子の種類（今の場合、「ビデオ」）及び信号が入力されている旨を表示するという決定をし、その決定結果を記憶部１１のデータ記憶部に一次記憶する。その後、制御部９は、ステップＳＰ６へ進む。
【００５４】
ステップＳＰ６では、制御部９は、「入力１」を構成する外部入力端子群３ａのすべての外部入力端子について、プラグ接続の有無及び信号の有無をチェックしたか否かを判断する。今の場合、外部入力端子群３ａのすべての外部入力端子のプラグ接続の有無及び信号の有無をチェックしたので、ステップＳＰ６の判断結果は「ＹＥＳ」であり、制御部９は、ステップＳＰ７へ進む。
【００５５】
ステップＳＰ７では、制御部９は、ＡＶスイッチ３に存在するすべての系統についてプラグ接続の有無及び信号の有無をチェックしたか否かを判断する。ステップＳＰ７の判断結果が「ＮＯ」の場合には、制御部９は、ステップＳＰ１へ戻る。一方、ステップＳＰ７の判断結果が「ＹＥＳ」の場合、即ち、ＡＶスイッチ３に存在するすべての系統についてプラグ接続の有無及び信号の有無をチェックした場合には、制御部９は、ステップＳＰ８へ進む。
【００５６】
今の場合、「入力１」を構成するすべての外部入力端子についてプラグ接続の有無及び信号の有無をチェックしただけであるので、ステップＳＰ７の判断結果は「ＮＯ」であり、制御部９は、ステップＳＰ１へ戻る。これ以降、「入力１」を構成するすべての外部入力端子についてプラグ接続の有無及び信号の有無をチェックするために、上記したステップＳＰ１〜ＳＰ６の処理を繰り返す。
【００５７】
即ち、接続検出器３ｃの信号検出回路４２は、まず、「入力２」を構成する外部入力端子群３ｂのＳ端子３４の第３ピンから出力される輝度信号（Ｙ）の有無を検出する。今の場合、プラグが接続され、かつ、信号が検出された第１の状態であるので、図５に示す信号検出結果テーブルに表された”ＬＨＨＨ”の検出信号を制御部９に供給する。
【００５８】
接続検出器３ｃの信号検出回路４２から”ＬＨＨＨ”の検出信号が供給された制御部９は、「入力２」を構成する外部入力端子群３ｂのＳ端子３４にプラグが接続され、かつ、信号が検出されたと認識し（図６のステップＳＰ１で「ＹＥＳ」の判断をし、かつ、ステップＳＰ２で「ＹＥＳ」の判断）、ステップＳＰ４において、外部入力端子の種類（今の場合、「Ｓビデオ」）及び信号が入力されている旨を表示するという決定をし、その決定結果を記憶部１１のデータ記憶部に一次記憶する。その後、制御部９は、ステップＳＰ６へ進む。
【００５９】
ステップＳＰ６では、制御部９は、「入力２」を構成する外部入力端子群３ｂのすべての外部入力端子について、プラグ接続の有無及び信号の有無をチェックしたか否かを判断する。今の場合、Ｓ端子３４のプラグ接続の有無及び信号の有無をチェックしただけであるので、ステップＳＰ６の判断結果は「ＮＯ」であり、制御部９は、ステップＳＰ１へ戻る。
【００６０】
接続検出器３ｃの信号検出回路４２は、次に、「入力２」を構成する外部入力端子群３ｂの１９ピンで構成されているＨＤＭＩ（登録商標）端子３５の第１〜第９ピンから出力されるデジタルデータの有無を検出する。今の場合、プラグが接続されていない第３の状態であるので、図５に示す信号検出結果テーブルに表された”ＨＬＬＬ”の検出信号を制御部９に供給する。
【００６１】
接続検出器３ｃの信号検出回路４２から”ＨＬＬＬ”の検出信号が供給された制御部９は、「入力２」を構成する外部入力端子群３ｂのＨＤＭＩ（登録商標）端子３５にプラグが接続されていないと認識し（図６のステップＳＰ１で「ＮＯ」の判断）、ステップＳＰ３において、外部入力端子の種類を表示しないという決定をし、その決定結果を記憶部１１のデータ記憶部に一次記憶する。その後、制御部９は、ステップＳＰ６へ進む。
【００６２】
ステップＳＰ６では、制御部９は、「入力２」を構成する外部入力端子群３ｂのすべての外部入力端子について、プラグ接続の有無及び信号の有無をチェックしたか否かを判断する。今の場合、Ｓ端子３４及びＨＤＭＩ（登録商標）端子３５のプラグ接続の有無及び信号の有無をチェックしただけであるので、ステップＳＰ６の判断結果は「ＮＯ」であり、制御部９は、ステップＳＰ１へ戻る。
【００６３】
接続検出器３ｃの信号検出回路４１は、次に、「入力２」を構成する外部入力端子群３ｂの３つのピンジャックで構成されているコンポジット映像・音声端子３６の１つのピンジャックから出力されるコンポジット映像信号の有無を検出する。今の場合、プラグが接続されていない第３の状態であるので、図５に示す信号検出結果テーブルに表された”ＨＬＨＬ”の検出信号を制御部９に供給する。
【００６４】
接続検出器３ｃの信号検出回路４２から”ＨＬＨＬ”の検出信号が供給された制御部９は、「入力２」を構成する外部入力端子群３ｂのコンポジット映像・音声端子３３にプラグが接続されていないと認識し（図６のステップＳＰ１で「ＮＯ」の判断）、ステップＳＰ３において、外部入力端子の種類を表示しないという決定をし、その決定結果を記憶部１１のデータ記憶部に一次記憶する。その後、制御部９は、ステップＳＰ６へ進む。
【００６５】
ステップＳＰ６では、制御部９は、「入力２」を構成する外部入力端子群３ｂのすべての外部入力端子について、プラグ接続の有無及び信号の有無をチェックしたか否かを判断する。今の場合、外部入力端子群３ｂのすべての外部入力端子のプラグ接続の有無及び信号の有無をチェックしたので、ステップＳＰ６の判断結果は「ＹＥＳ」であり、制御部９は、ステップＳＰ７へ進む。
【００６６】
ステップＳＰ７では、制御部９は、ＡＶスイッチ３に存在するすべての系統についてプラグ接続の有無及び信号の有無をチェックしたか否かを判断する。今の場合、ＡＶスイッチ３に存在する「入力１」及び「入力２」を構成するすべての外部入力端子についてプラグ接続の有無及び信号の有無をチェックしたので、ステップＳＰ７の判断結果は「ＹＥＳ」であり、制御部９は、ステップＳＰ８へ進む。
【００６７】
ステップＳＰ８では、制御部９は、上記したステップＳＰ３〜ＳＰ５の処理により得られ、記憶部１１のデータ記憶部に一次記憶した決定結果を読み出し、入力選択メニュー画面を作成するのに必要な情報をキャラクタ発生部１０に供給した後、一連の処理を終了する。これにより、キャラクタ発生部１０は、ＯＳＤ表示形式で入力選択メニュー画面を表示するためのＯＳＤ表示キャラクタ信号を発生する。従って、映像信号処理部７は、映像処理を施した映像信号に、キャラクタ発生部１０から供給されたＯＳＤ表示形式で入力選択メニュー画面を表示するためのＯＳＤ表示キャラクタ信号を重畳して出力する。映像出力部８は、映像信号処理部７から供給された映像信号に基づいて画像をディスプレイに表示する。
【００６８】
図７は、入力選択メニュー画面の表示の一例を示す図である。入力選択メニュー画面は、上下に４段からなり、第１段には、この画面が入力選択メニュー画面であることを示す「入力選択」という文字が表示されている。第２段には、この映像表示装置を構成するチューナ２（図１参照）から供給された映像・音声信号ＡＶ１が選択可能であることを示す「テレビ」という文字が表示されている。
【００６９】
第３段には、第１系統であることを示す「入力１」という文字 、「入力１」を構成する外部入力端子群３ａのいずれかの外部端子が接続されていることを示す丸に「１」の数字及び丸の下端に矩形状の図形がそれぞれ表示されている。また、第３段全体に左上がりの斜線を施しているのは、系統として「入力１」が選択されていることを示す着色が施されていることを意味している。
【００７０】
また、第３段には、「入力１」を構成する外部入力端子群３ａのうち、コンポーネント映像端子３２について、プラグが接続され、かつ、信号が検出されている第３の状態であることを示す「コンポーネント」という文字及びこの文字の表示領域及びその近傍が所定の色に着色（図７では、右上がりの斜線で示す。）されて表示されている。なお、「コンポーネント」という文字が２重の枠で囲まれているが、これは、フォーカスを持っていること、即ち、コンポジット映像・音声端子３３の選択が可能であり、この状態でユーザがリモコン１２の決定（「ＥＮＴＥＲ」）ボタンを操作すると、その選択が確定することを示している。
【００７１】
さらに、第３段には、コンポジット映像・音声端子３３について、プラグが接続され、かつ、信号が検出されている第３の状態であることを示す「ビデオ」という文字及びこの文字の表示領域及びその近傍が所定の色に着色（図７では、右上がりの斜線で示す。）されて表示されている。
【００７２】
第４段には、第２系統であることを示す「入力２」という文字 、「入力２」を構成する外部入力端子群３ｂのいずれかの外部端子が接続されていることを示す丸に「２」の数字及び丸の下端に矩形状の図形がそれぞれ表示されている。また、第４段には、「入力２」を構成する外部入力端子群３ｂのうち、Ｓ端子３４について、プラグが接続され、かつ、信号が検出されている第３の状態であることを示す「Ｓビデオ」という文字及びこの文字の表示領域及びその近傍が所定の色に着色（図７では、右上がりの斜線で示す。）されて表示されている。なお、「入力２」を構成する外部入力端子群３ｂのいずれの外部端子も接続されていない場合には、図８に示すように、「入力２」という文字及び丸の図形がそれぞれ表示されるに過ぎない。
【００７３】
以上説明した図７に示す入力選択メニュー画面の表示は、全体として、以下に示すことを意味している。まず、この映像表示装置、外部機器２１としてのＨＤＤ−ＤＶＤレコーダ及び、外部機器２２としてのＶＴＲにそれぞれ電源が投入されているとする。この状態において、ユーザは、この映像表示装置のチューナ２から供給された映像・音声信号ＡＶ１に基づくテレビ番組ではなく、ＨＤＤ−ＤＶＤレコーダに記憶されている映画等のコンテンツのコンポジット映像信号による視聴を希望したとする。
【００７４】
そのために、ユーザは、リモコン１２の入力切換ボタンを操作すると、映像表示装置の制御部９その他の構成要素は、図６に示すフローチャートを参照して説明した処理を実行し、映像出力部８を構成するディスプレイに、図９に示すように、入力選択メニュー画面がＯＳＤ表示形式で表示される。この場合、現在チューナ２から供給された映像・音声信号ＡＶ１に基づくテレビ番組が上記ディスプレイに表示されているので、そのテレビ番組の画像上に、図９に示す入力選択メニュー画面がＯＳＤ表示形式で表示される。
【００７５】
図９では、第２段全体に左上がりの斜線を施しているのは、この映像表示装置を構成するチューナ２（図１参照）から供給された映像・音声信号ＡＶ１が選択されていることを示す着色が施されていることを意味している。また、第２段全体が２重の枠で囲まれているが、これは、フォーカスを持っていること、即ち、チューナ２（図１参照）から供給された映像・音声信号ＡＶ１の選択が可能であり、この状態でユーザがリモコン１２の決定（「ＥＮＴＥＲ」）ボタンを操作すると、その選択が確定することを示している。図９のその他の表示の意味は、図７の場合と同様である。
【００７６】
そこで、ユーザは、リモコン１２の下カーソルボタンを１回操作する。これにより、上記ディスプレイには、チューナ２から供給された映像・音声信号ＡＶ１に基づくテレビ番組の画像上に、図７に示す入力選択メニュー画面がＯＳＤ表示形式で表示される。何故なら、上記したように、この映像表示装置では、同一の系統に異なる種類の外部入力端子がグルーピングされている場合、制御部９が選択する優先順位は、第１位にＨＤＭＩ（登録商標）端子、第２位にＤ４端子、第３位にコンポーネント映像端子、第４位にＳ端子、第５位にコンポジット映像・音声端子がそれぞれ予め設定されている。また、ある系統に上位の優先順位に設定されている外部入力端子が存在しない場合には、存在する種類の外部入力端子の中で上位に設定されているものが順次選択される。
【００７７】
今の場合、「入力１」では、制御部９が選択する優先順位は、第１位にＤ４端子３１、第２位にコンポーネント映像端子３２、第３位にコンポジット映像・音声端子３３である。しかし、Ｄ４端子３１にはプラグが接続されていない一方、コンポーネント映像端子３２にプラグが接続されている。従って、入力選択メニュー画面には、優先順位第１位のＤ４端子３１の種類を表す「Ｄ端子」という文字は表示されず、優先順位第２位のコンポーネント映像端子３２の種類を表す「コンポーネント」という文字が表示されるとともに、「コンポーネント」という文字が２重の枠で囲まれる（フォーカスを持っている）ことにより、ユーザがリモコン１２の決定（「ＥＮＴＥＲ」）ボタンを操作すると、コンポーネント映像端子３２の選択が確定することが表示されている。
【００７８】
そこで、ユーザは、リモコン１２の右カーソルボタンを１回操作する。これにより、上記ディスプレイには、チューナ２から供給された映像・音声信号ＡＶ１に基づくテレビ番組の画像上に、図１０に示す入力選択メニュー画面がＯＳＤ表示形式で表示される。この後、ユーザがリモコン１２の決定（「ＥＮＴＥＲ」）ボタンを操作すると、コンポジット映像・音声端子３３の選択が確定する。これにより、制御部９は、ＡＶスイッチ３に対して、コンポジット映像・音声端子３３の選択すべき旨の制御信号を供給する。従って、ＡＶスイッチ３は、外部機器２１としてのＨＤＤ−ＤＶＤレコーダから供給された映像・音声信号ＡＶ２の１つである映画等のコンテンツに関するコンポジット映像信号を選択して映像・音声信号ＡＶＥとして出力してＡＶ出力部４に供給する。
【００７９】
これにより、ＡＶ出力部４がＡＶスイッチ３から供給された映像・音声信号ＡＶＥから映像信号Ｖと音声信号Ａとを分離して出力するので、映像信号処理部７は、映像信号Ｖに対して、ＩＰ変換等の映像処理を施した後、映像出力部８に供給する。従って、映像出力部８のディスプレイには、当該映画等のコンテンツが表示される。また、入力選択メニュー画面は、ディスプレイに表示されなくなる。
【００８０】
なお、図７、図９及び図１０に示す入力選択メニュー画面は、ユーザが所定時間何らの操作もしなければ、ディスプレイに表示されなくなる。この場合、入力選択メニュー画面が非表示となる直前にフォーカスを持っているチューナ２又は外部入力端子の選択が確定される。
【００８１】
このように、本発明の実施の形態１によれば、すべての系統についてすべての外部入力端子のプラグ接続の有無及び信号の有無をサーチした後、入力選択メニュー画面上に、各系統ごとに、外部入力端子の種類（要するに、映像信号の種類）、プラグ接続の有無及や信号入力の有無が認識できるようにＯＳＤ表示している。このため、ユーザは、入力選択メニュー画面から直接外部入力端子の種類（要するに、映像信号の種類）、接続の有無及び信号入力の有無を認識することができるので、入力選択メニュー画面から直接外部入力端子の種類を選択することができる。例えば、同一系統において優先順位の高い外部入力端子から優先順位の低い外部入力端子へ切り換えることができる。この結果、ユーザは、所望の外部機器を簡単な操作で迅速に選択することができ、使い勝手が良い。
【００８２】
また、１つの系統に複数の外部機器を接続した場合（例えば、「入力１」のコンポーネント映像端子３２にＤＶＤプレーヤを接続し、コンポジット映像・音声端子３３にＶＴＲを接続するなど）であっても、ユーザは容易に入力を切り換えることができる。これにより、空いた他の系統の外部入力端子に他の種類の外部機器（例えば、ＨＤＤ、ビデオカメラ、スチルカメラ、ゲーム機、デコーダなど）を接続することができ、入力系統の数よりも外部機器の数が多い場合であっても、外部入力端子を有効に利用することができる。
【００８３】
実施の形態２．
上述の実施の形態１では、入力選択メニュー画面に外部入力端子に対応した「文字」を表示する例を示したが、これに限定されない。外部入力端子に対応した端子情報、例えば、対応する外部入力端子又は対応する外部入力端子に接続される外部機器を識別するための名称、通称、記号、コードその他の文字列、図形（アイコン）あるいはこれらの組み合わせのいずれかを表示するように構成しても良い。図１１は、外部入力端子の外観形状を表すアイコンを表示する例である。
【００８４】
また、図形としては、ＨＤＤ、ビデオカメラ、スチルカメラ等の外部機器の外観形状を表すマーク、記録媒体を用いる外部機器ではカセット、ディスク等の記録媒体の外観形状を表すマーク、アンテナ等の付属機器を用いる外部機器では当該付属機器の外観形状を表すマークなどがある。この場合、上記外部入力端子等の外観形状を表す図形のデータを記憶部１１のデータ記憶部に予め記憶しておく。
このように構成すれば、「コンポーネント」、「Ｓビデオ」等の意味が理解できないユーザであっても、直感的に、どのような種類の映像信号が入力されているか又はどのような外部機器が接続されているかを理解することができる。
【００８５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の実施の形態１では、上記第１〜第３の状態をそれぞれ表す検出信号の論理（”Ｈ”レベル、”Ｍ”レベル、”Ｌ”レベル）は、図５に示すものである例を示したが、これに限定されず、制御部９が上記第１〜第３の状態を認識できればどのようなものでも良い。例えば、上記第１の状態を検出信号の論理が”Ｌ”レベル、上記第２の状態を検出信号の論理が”Ｍ”レベル、上記第３の状態を検出信号の論理が”Ｈ”レベルであっても良い。
【００８６】
また、上述の各実施の形態では、系統が選択状態にあることや外部入力端子の第１〜第３の状態を示すために対応する表示領域に着色を施す例を示したが、これに限定されない。例えば、点滅表示、反転表示等、他の状態と異なることがユーザに認識できる表示形態であればどのようなものでも良い。
また、上述の各実施の形態では、リモコン１２の入力切換ボタンが操作されることに応じて処理を行う例を示したが、これに限定されず、本体操作部に設けられた入力切換ボタンが操作されることに応じて同様な処理を行うように構成しても良い。
また、上述の各実施の形態では、本発明を映像信号について適用する例を示したが、これに限定されず、音声信号について適用しても良い。
【図面の簡単な説明】
【００８７】
【図１】本発明の実施の形態１に係る映像表示装置の構成を示すブロック図である。
【図２】図１に示す映像表示装置を構成するＡＶスイッチの外部入力端子群の外観構成を示す正面図である。
【図３】図１に示す映像表示装置を構成するＡＶスイッチの外部入力端子群の外観構成を示す正面図である。
【図４】接続検出器の構成の一例を示す概念図である。
【図５】外部入力端子群を構成する各外部入力端子の状態と検出信号の論理との関係の一例を示す図である。
【図６】映像表示装置を構成する制御部が実行する外部端子サーチ・表示処理を示すフローチャートである。
【図７】入力選択メニュー画面の表示の一例を示す図である。
【図８】図７に示す入力選択メニュー画面の一部の表示の一例を示す図である。
【図９】図７に示す入力選択メニュー画面の表示が変化する様子を示す図である。
【図１０】図７に示す入力選択メニュー画面の表示が変化する様子を示す図である。
【図１１】本発明の実施の形態２に係る映像表示装置を構成する制御部が実行する外部端子サーチ・表示処理で表示される入力選択メニュー画面の表示の一例を示す図である。
【符号の説明】
【００８８】
１  アンテナ
２  チューナ
３  ＡＶスイッチ
３ａ，３ｂ  外部入力端子群
３ｃ  接続検出器（検出手段）
４  ＡＶ出力部
５  音声信号処理部
６  音声出力部
７  映像信号処理部（表示制御手段）
８  映像出力部（映像出力手段）
９  制御部（表示制御手段）
１０  キャラクタ発生部（表示制御手段）
１１  記憶部
１２  リモコン
２１，２２  外部機器
３１  Ｄ４端子（外部入力端子）
３２  コンポーネント映像端子（外部入力端子）
３３，３６  コンポジット映像・音声端子（外部入力端子）
３４  Ｓ端子（外部入力端子）
３５  ＨＤＭＩ（登録商標）端子（外部入力端子）
４１，４２  信号検出回路（検出手段）
Ｒ１１，Ｒ１２，Ｒ２１，Ｒ２２  抵抗（検出手段）
【図１】
2008067284.tif 000003
【図２】
2008067284.tif 000004
【図３】
2008067284.tif 000005
【図４】
2008067284.tif 000006
【図５】
2008067284.tif 000007
【図６】
2008067284.tif 000008
【図７】
2008067284.tif 000009
【図８】
2008067284.tif 000010
【図９】
2008067284.tif 000011
【図１０】
2008067284.tif 000012
【図１１】
2008067284.tif 000013